(57)【特許請求の範囲】
【請求項１】
建物の室内側の壁面に設けられる箱状の枠体と、前記枠体の正面に排気口と給気口とを備え、側面および底面に給気ダクト接続口と排気ダクト接続口とを備えたダクト本体と接続される給気枠体接続口と排気枠体接続口と、前記ダクト本体に前記給気ダクト接続口と前記排気ダクト接続口と連通する給気ダクトアダプターと排気ダクトアダプターとを備え、前記給気ダクトアダプターと前記排気ダクトアダプターとが摺動し、前記給気ダクトアダプターあるいは前記排気ダクトアダプターのフランジの一方に、段差部を有する舌部を設け、前記舌部の端部は、隣接する前記給気ダクトアダプタ又は前記排気ダクトアダプタと前記ダクト本体との間に配置されることを特徴とする換気用ダクト。
【請求項２】
ダクト本体に、舌部をガイドするガイド部を設けることを特徴する請求項１に記載の換気用ダクト。
【発明の詳細な説明】
【技術分野】
【０００１】
本発明は、換気用ダクトに関するものである。
【背景技術】
【０００２】
従来、この種の換気用ダクトは、給気ダクト接続口および排気ダクト接続口が予め固定されたものが知られている（例えば、特許文献１参照）。
【先行技術文献】
【特許文献】
【０００３】
【特許文献１】特開２０１２−２１１７２８号公報
【発明の概要】
【発明が解決しようとする課題】
【０００４】
このような従来の換気用ダクトにおいては、同時給排形換気扇を部屋の壁面に取り付けるが、壁面に埋設された鉄筋によりダクト本体に設けている排気ダクト接続口と給気ダクト接続口との距離が不均一となっているので、その都度それに見合ったダクト本体を準備しなければならない、という課題を有していた。
【０００５】
そこで本発明は、上記従来の課題を解決するものであり、排気ダクト接続口と給気ダクト接続口との距離が不均一でも１つのダクト本体で同時給排形換気扇を部屋の壁面に取り付けることができる換気用ダクトを提供することを目的とする。
【課題を解決するための手段】
【０００６】
そして、この目的を達成するために、本発明は、建物の室内側の壁面に設けられる箱状の枠体と、前記枠体の正面に排気口と給気口とを備え、側面および底面に給気ダクト接続口と排気ダクト接続口とを備えたダクト本体と接続される給気枠体接続口と排気枠体接続口と、前記ダクト本体に前記給気ダクト接続口と前記排気ダクト接続口と連通する給気ダクトアダプターと排気ダクトアダプターとを備え、前記給気ダクトアダプターと前記排気ダクトアダプターとが摺動し、前記給気ダクトアダプターあるいは前記排気ダクトアダプターのフランジの一方に、段差部を有する舌部を設け、前記舌部の端部は、隣接する前記給気ダクトアダプタ又は前記排気ダクトアダプタと前記ダクト本体との間に配置されることとしたものであり、これにより所期の目的を達成するものである。
【発明の効果】
【０００７】
本発明によれば、建物の室内側の壁面に設けられる箱状の枠体と、前記枠体の正面に排気口と給気口とを備え、側面および底面に給気ダクト接続口と排気ダクト接続口とを備えたダクト本体と接続される給気枠体接続口と排気枠体接続口と、前記ダクト本体に前記給気ダクト接続口と前記排気ダクト接続口と連通する給気ダクトアダプターと排気ダクトアダプターとを備え、前記給気ダクトアダプターと前記排気ダクトアダプターとが摺動する、という構成にしたことにより、前記給気ダクトアダプターと前記排気ダクトアダプターとが壁面に対して略並行に摺動することとなるので、排気ダクトアダプターと給気ダクトアダプターとの距離が不均一でも１つのダクト本体で同時給排形換気扇を部屋の壁面に取り付けることができる、という効果を得ることができる。
【図面の簡単な説明】
【０００８】
【図１】本発明の実施の形態１の換気用ダクトを室内の壁面に設置しようとしている斜視図
【図２】同換気用ダクトを室内の壁面に設置した側面構成図
【図３】同換気用ダクトの詳細斜視図
【図４】同換気用ダクトの給気用ダクトアダプターと排気用ダクトアダプターを示す斜視図
【発明を実施するための形態】
【０００９】
本発明の請求項１記載の換気用ダクトは、建物の室内側の壁面に設けられる箱状の枠体と、前記枠体の正面に排気口と給気口とを備え、側面および底面に給気ダクト接続口と排気ダクト接続口とを備えたダクト本体と接続される給気枠体接続口と排気枠体接続口と、前記ダクト本体に前記給気ダクト接続口と前記排気ダクト接続口と連通する給気ダクトアダプターと排気ダクトアダプターとを備え、前記給気ダクトアダプターと前記排気ダクトアダプターとが摺動する、という構成を有する。これにより、給気ダクトアダプターと前記排気ダクトアダプターとが壁面に対して略並行に摺動することとなるので、排気ダクトアダプターと給気ダクトアダプターとの距離が不均一でも１つのダクト本体で同時給排形換気扇を部屋の壁面に取り付けることができる、という効果を奏する。
【００１０】
また、給気ダクトアダプターあるいは排気ダクトアダプターのフランジの一方に、段差部を有する舌部を設ける、という構成にしてもよい。これにより、舌部がフランジの下方に潜り込むこととなるので、給気ダクトアダプターと排気ダクトアダプターとを安定的に近接することができる、という効果を奏する。
【００１１】
また、ダクト本体に、舌部をガイドするガイド部を設ける、という構成にしてもよい。これにより、舌部がガイドに接触し沿って摺動することとなるので、給気ダクトアダプターと排気ダクトアダプターとをより安定的に近接することができる、という効果を奏する。
【００１２】
以下、本発明の実施の形態について図面を参照しながら説明する。
【００１３】
（実施の形態１）
図１〜図４に示すように、例えば一戸建てや集合住宅などの建物１の室内側の壁面２に設けられる比較的剛性のある鉄製の２つの開口３、４を有した方形の箱状の枠体５と、枠体５の正面６に２つの開口３、４を有した左右方向に排気口７と給気口８とを並べて備え、側面および底面に角状の給気ダクト接続口９と排気ダクト接続口１０と、ダクト本体１１に給気ダクト接続口９と排気ダクト接続口１０とを各々連通する給気ダクトアダプター１２と排気ダクトアダプター１３とを備え、給気ダクトアダプター１２と排気ダクトアダプター１３とがダクト本体１１の長手１４方向に沿って摺動すなわち移動する。
【００１４】
ダクト本体１１の形状は、この実施の形態１では梁１５があるので避けるため屈曲１６しているが、直線状でもいい。
【００１５】
このような構成にすることで、給気ダクトアダプター１２と排気ダクトアダプター１３とが室内側の壁面２に対して略並行にほぼ同時に摺動させて、室内側の壁面２に設けられている排気用の排気穴１７と給気用の給気穴１８に排気ダクトアダプター１３と給気ダクトアダプター１２とを正面から室内側の壁面２に真っ直ぐに差し込みながら給気ダクトアダプター１２と排気ダクトアダプター１３との間隔を調整しながら挿入するので、排気ダクトアダプター１３と給気ダクトアダプター１２との間隔すなわち距離が不均一でも１つのダクト本体１１で同時給排形換気扇１９を室内側の壁面２に取り付けることができる。
【００１６】
また、給気ダクトアダプター１２あるいは排気ダクトアダプター１３のフランジ２０、２１の一方に、下方に段差を有した段差部２２を有する舌部２３を設ける。
【００１７】
このような構成にすることで、舌部２３がフランジ２０、２１の端部２４に僅かに接触して下方に潜り込ませ、舌部２３が僅かにフランジ２０、２１に接触しているので、給気ダクトアダプター１２と排気ダクトアダプター１３とが安定的に近接することができる。
【００１８】
また、ダクト本体１１に、舌部２３をガイドするガイド部２５を設ける。
【００１９】
ガイド部２５の構成は、ダクト本体１１に設け、舌部２３の両端２６に接触する段差２７を有した構成である。
【００２０】
このような構成にすることで、舌部２３がガイド部２５に接触しながら摺動して摺動するので給気ダクトアダプター１２と排気ダクトアダプター１３とをより安定的に摺動してできる。
【産業上の利用可能性】
【００２１】
本発明にかかる換気用ダクトは、排気ダクトアダプターと給気ダクトアダプターとの距離が不均一でも１つのダクト本体で同時給排形換気扇を部屋の壁面に取り付けることができることを可能とするものであるので、熱交換型換気扇等として有用である。
【符号の説明】
【００２２】
１    建物
２    壁面
３    開口
４    開口
５    枠体
６    正面
７    排気口
８    給気口
９    給気ダクト接続口
１０  排気ダクト接続口
１１  ダクト本体
１２  給気ダクトアダプター
１３  排気ダクトアダプター
１４  長手
１５  梁
１６  屈曲
１７  排気穴
１８  給気穴
１９  同時給排形換気扇
２０  フランジ
２１  フランジ
２２  段差部
２３  舌部
２４  端部
２５  ガイド部
２６  両端
２７  段差
【図１】
0006450927.tif 000002
【図２】
0006450927.tif 000003
【図３】
0006450927.tif 000004
【図４】
0006450927.tif 000005